(57)【要約】【課題】台所と浴室と（あるいは浴室と、浴室から離れた場所と）の双方向の意思疎通が可能な給湯装置のリモコンシステムを提供すること。【解決手段】本発明の給湯装置のリモコンシステムは、第１の呼出スイッチ１０ａを有し給湯装置１を操作する第１のリモコン３と、浴室に設けられ第２の呼出スイッチ１６ａを有し給湯装置１を操作する第２のリモコン４とを備え、一方のリモコン３（４）に設けられた呼出スイッチ１０ａ（１６ａ）を押下することによって、他方のリモコン４（３）に一方のリモコン３（４）から呼び出しがあったことを知らせるとともに、一方のリモコン３（４）から呼び出しがあった時から所定時間内に、他方のリモコン４（３）に設けられた呼出スイッチ１６ａ（１０ａ）を押下することで、一方のリモコン３（４）に他方のリモコン４（３）から応答があったことを知らせる。【選択図】図１
2009188889.tif 000002
【特許請求の範囲】
【請求項１】
第１の呼出スイッチを有し給湯装置を操作する第１のリモコンと、浴室に設けられ第２の呼出スイッチを有し前記給湯装置を操作する第２のリモコンとを備え、一方のリモコンに設けられた呼出スイッチを押下することによって、他方のリモコンに一方のリモコンから呼び出しがあったことを知らせるとともに、一方のリモコンから呼び出しがあった時から所定時間内に、他方のリモコンに設けられた呼出スイッチを押下することで、一方のリモコンに他方のリモコンから応答があったことを知らせることを特徴とする給湯装置のリモコンシステム。
【請求項２】
一方のリモコンから他方のリモコンへの呼び出しおよび応答があったことを視覚的および／または聴覚的に認識できるようにしたことを特徴とする請求項１に記載の給湯装置のリモコンシステム。
【請求項３】
一方のリモコンから他方のリモコンへの呼び出し後、所定時間内に他方のリモコンの呼出スイッチを押下すると一方のリモコンには応答があることを知らせるとともに、前記一方のリモコンが前記他方のリモコンより応答の知らせを受けてから所定時間内に、再度前記一方のリモコンの呼出スイッチを押下すると、前記他方のリモコンには応答の知らせではなく、呼び出しの知らせを行うことを特徴とする請求項１または２に記載の給湯装置のリモコンシステム。
【請求項４】
第１の表示部を有する第１のリモコンと、第２の表示部を有する第２のリモコンとを備え、一方のリモコンから他方のリモコンへの呼び出し後、他方のリモコンから一方のリモコンへの応答があるまでは、前記第１の表示部および／または前記第２の表示部には、呼び出し機能の待機状態を表す文字を表示することを特徴とする請求項１〜３のいずれか１項に記載の給湯装置のリモコンシステム。
【発明の詳細な説明】
【技術分野】
【０００１】
本発明は、給湯装置を操作するリモコンで構成されるリモコンシステムに関する。
【背景技術】
【０００２】
従来のリモコンシステムは、給湯装置を操作する浴室のリモコンから、同じく給湯装置を操作する台所のリモコンへ呼び出しを行った際に（もしくは、台所のリモコンから浴室のリモコンへ呼び出しを行った際に）、呼び出しを受けた人が聞き逃してしまうことがなく、また聴覚障害者でも呼び出されていることが認識できるように、リモコン上のスピーカーからブザーを鳴動させるとともに、ＬＥＤを点滅させるように構成している（例えば、特許文献１参照）。
【０００３】
また、双方向でコミュニケーションをとるために、それぞれのリモコンにマイクとスピーカーを搭載し、一方のリモコンから、もう一方のリモコンに音声を伝達することが可能となるように構成されたリモコンシステムがあった。
【特許文献１】特開２０００−３４１７７１号公報
【発明の開示】
【発明が解決しようとする課題】
【０００４】
しかしながら、従来の構成では、一方のリモコンから他方のリモコンへの呼び出しは、呼び出し音声が報知される、もしくは呼び出していることをＬＥＤの点滅で知らせるように構成しているだけであり、呼び出しに本当に気づいているのかを確認することができなかった。
【０００５】
特に、高齢者の浴室での事故が多く、台所（浴室から離れた場所）から入浴中のユーザーの無事を確認したいというニーズもあった。
【０００６】
また、それぞれのリモコンにマイクとスピーカーとを搭載したリモコンシステムでは、設置場所によって、一方のスピーカーからの出力を、もう一方のマイクで拾ってしまうことで生じるハウリング現象が起きてしまうという課題を有していた。
【０００７】
本発明は、前記従来の課題を解決するもので、台所と浴室との双方向の意思疎通が可能な給湯装置のリモコンシステムを提供することを目的とする。
【課題を解決するための手段】
【０００８】
前記従来の課題を解決するために、本発明の給湯装置のリモコンシステムは、第１の呼出スイッチを有し給湯装置を操作する第１のリモコンと、浴室に設けられ第２の呼出スイッチを有し前記給湯装置を操作する第２のリモコンとを備え、一方のリモコンに設けられた呼出スイッチを押下することによって、他方のリモコンに一方のリモコンから呼び出しがあったことを知らせるとともに、一方のリモコンから呼び出しがあった時から所定時間内に、他方のリモコンに設けられた呼出スイッチを押下することで、一方のリモコンに他方のリモコンから応答があったことを知らせることにより、他方のリモコンから一方のリモコンへ、確実に呼び出しに気づいていることを知らせることができる。
【発明の効果】
【０００９】
本発明は、台所と浴室と（あるいは浴室と、浴室から離れた場所と）の双方向の意思疎通が可能な給湯装置のリモコンシステムを提供することできる。
【発明を実施するための最良の形態】
【００１０】
第１の発明の給湯装置のリモコンシステムは、第１の呼出スイッチを有し給湯装置を操作する第１のリモコンと、浴室に設けられ第２の呼出スイッチを有し前記給湯装置を操作する第２のリモコンとを備え、一方のリモコンに設けられた呼出スイッチを押下することによって、他方のリモコンに一方のリモコンから呼び出しがあったことを知らせるとともに、一方のリモコンから呼び出しがあった時から所定時間内に、他方のリモコンに設けられた呼出スイッチを押下することで、一方のリモコンに他方のリモコンから応答があったことを知らせることにより、他方のリモコンから一方のリモコンへ、確実に呼び出しに気づいていることを知らせることができる。
【００１１】
第２の発明の給湯装置のリモコンシステムは、特に第１の発明において、一方のリモコンから他方のリモコンへの呼び出しおよび応答があったことを視覚的および／または聴覚的に認識できるようにしたことにより、ユーザーに優しいリモコンシステムを提供することができるとともに、視覚および聴覚の両方に呼び出しがあったことを訴えかけることができるので、よりユーザーが呼び出されていることが気づきやすい。
【００１２】
第３の発明の給湯装置のリモコンシステムは、特に第１または第２の発明において、一方のリモコンから他方のリモコンへの呼び出し後、所定時間内に他方のリモコンの呼出スイッチを押下すると一方のリモコンには応答があることを知らせるとともに、前記一方のリモコンが前記他方のリモコンより応答の知らせを受けてから所定時間内に、再度前記一方のリモコンの呼出スイッチを押下すると、前記他方のリモコンには応答の知らせではなく、呼び出しの知らせを行うことにより、呼び出しの応答を受けて、それに対して呼び出しスイッチを押下した場合には、再度呼び出しの知らせを行うこととなり、もう一度、他方のリモコンへの呼び出しを行っていることを、他方のリモコン側のユーザーに気づかせることができる。また、応答の信号を受けて、所定時間内に呼出スイッチを押下した際に、応答の信号を送ってしまうと、他方のリモコンのユーザーに誤解を与えてしまうので、そのような誤解を与えることを防止することができる。
【００１３】
第４の発明の給湯装置のリモコンシステムは、特に第１から第３の発明において、第１の表示部を有する第１のリモコンと、第２の表示部を有する第２のリモコンとを備え、一方のリモコンから他方のリモコンへの呼び出し後、他方のリモコンから一方のリモコンへの応答があるまでは、前記第１の表示部および／または前記第２の表示部には、呼び出し機能の待機状態を表す文字を表示することにより、文字メッセージでユーザーにわかりやすく待機状態を示すことができる。
【００１４】
以下、本発明の実施の形態について、図面を参照しながら説明する。なお、この実施の形態によって本発明が限定されるものではない。
【００１５】
（実施の形態１）
本発明の実施例について、以下図面を参照しながら説明する。
【００１６】
図１は、本発明のリモコンシステムの構成を示した図である。図１において、風呂や台所への湯を生成・供給する給湯装置１には、リモコン接続線２を介して第１のリモコンである台所リモコン３および、第２のリモコンである風呂リモコン４が接続されている。
【００１７】
台所リモコン３には、給湯温度や風呂温度等を表示する第１の表示部である表示部５、沸き上げ設定や音量の設定等をメニュー方式で画面を切り替えるメニュースイッチ６、メニューの項目を選択するダウンスイッチ７、アップスイッチ８、選択されたメニューの項目を確定する確定スイッチ９が配設されている。
【００１８】
そして上記スイッチが配設されている箇所のさらに下段には、給湯装置を制御するためのボタン群１０が配設されており、そのボタン群１０のひとつに、第１の呼出スイッチ１０ａが設けられている。そしてさらに、第１の呼出スイッチ１０ａには、現在呼び出し機能が動作中であることを視覚的に示す呼出ＬＥＤ１０ｂ（第１の視覚的報知手段）が設けられている。また、各種音声が報知されるスピーカー１１（第１の聴覚的報知手段）が設けられている。
【００１９】
一方、風呂リモコン４には、台所リモコン３と同じように、給湯温度や風呂温度等を表示する第２の表示部である表示部２１、沸き上げ設定や音量の設定等をメニュー方式で画面を切り替えるメニュースイッチ１２、メニューの項目を選択するダウンスイッチ１３、アップスイッチ１４、選択されたメニューの項目を確定する確定スイッチ１５が配設されている。
【００２０】
そして上記スイッチが配設されている箇所のさらに下段には、台所リモコン３と同じように、給湯装置を制御するためのボタン群１６が配設されており、そのボタン群１６のひとつに、第２の呼出スイッチ１６ａが設けられている。そしてさらに、第２の呼出スイッチ１６ａには、現在呼び出し機能が動作中であることを視覚的に示す呼出ＬＥＤ１６ｂ（第２の視覚的報知手段）が設けられている。また、各種音声が報知されるスピーカー１７（第２の聴覚的報知手段）が設けられている。
【００２１】
以上のように構成された給湯装置のリモコンシステムについて、以下、その動作および作用について説明する。図２は、本実施の形態の各リモコンの状態図および、図３は、本実施の形態のリモコンシステムの動作フローを表した図である。
【００２２】
まず、一方のリモコンから他方のリモコンを呼び出す時の動作について説明する。なお本実施の形態においては、台所リモコン（一方のリモコン）から、風呂リモコン（他方のリモコン）を呼び出す例について説明するが、これに限定されることはなく、風呂リモコンから台所リモコンを呼び出す時も同じように動作する。
【００２３】
図３において、ＳＴＥＰ１で台所リモコン３に配設されている呼出スイッチ１０ａを押下する。そして、呼出スイッチ１０ａが押下されたことを、リモコン内の電気回路等で構成される検出装置（図示せず）で検出すると、風呂リモコン４に設けられたスピーカー１７からは、例えば『台所で呼んでいます』という呼出内容を示すメッセージが音声で出力され（ＳＴＥＰ２）、図２（ａ）の台所リモコン３の呼出ＬＥＤ１０ｂおよび風呂リモコン４の呼出ＬＥＤ１６ｂが消灯している状態から、図２（ｂ）の呼出ＬＥＤ１０ｂおよび風呂リモコン４の呼出ＬＥＤ１６ｂが点灯している状態になる（ＳＴＥＰ３）。
【００２４】
ＳＴＥＰ３では、呼出ＬＥＤ１０ｂを点灯させるとともに、タイマー（図示せず）で時間を計測し始めて所定時間をカウントする。なお、本実施の形態では所定時間を１分とし、ＳＴＥＰ４では、タイマーが所定時間（１分）を経過したかを確認する。
【００２５】
ＳＴＥＰ４にて所定時間が経過すると、フローから抜け出し、呼出ＬＥＤ１０ｂおよび１６ｂを消灯して図２（ａ）に示す状態に戻る。一方、所定時間が経過していない場合には、ＳＴＥＰ５に進み、他方のリモコン（本実施の形態では、風呂リモコン４）で呼出スイッチ１６ａが押下されたかどうかを確認する。
【００２６】
このように所定時間の間は、呼出ＬＥＤ１６ｂを点灯させておくことで、一方のリモコンから呼び出しが行われていることをユーザーが認識するとともに、現在、呼出スイッチ１６ａを押下するタイミングであることをユーザーに知らせることができる。
【００２７】
ＳＴＥＰ５では、呼出スイッチ１６ａが押下されていなければ、再度ＳＴＥＰ４に戻り所定時間が経過したかどうかを確認する。一方、ＳＴＥＰ５にて、風呂リモコン４の呼出スイッチ１６ａが押下されていれば、ＳＴＥＰ６に進み、図２（ｃ）に示す状態となり、一方のリモコン（本実施の形態では、台所リモコン３）に配設されたスピーカー１１から、例えば『応答がありました』というような応答内容を示すメッセージが音声で報知されるとともに、呼出ＬＥＤ１０ｂおよび呼出ＬＥＤ１６ｂを消灯する。
【００２８】
また、上記一連の呼出および応答時のリモコンシステムの動作に続いて、再度どちらかのリモコンで呼出スイッチを押下した場合について説明する。
【００２９】
ＳＴＥＰ６にて、呼び出しをしたリモコン（本実施の形態では、台所リモコン３）に『応答がありました』という応答内容を示すメッセージが音声で報知されてから、例えば、所定時間内（本実施の形態では、１分とする）に、再度、台所リモコン３の呼出スイッチ１０ａを押下したとする。
【００３０】
その場合には、他方のリモコン（本実施の形態では、風呂リモコン４）からの応答を受信してから所定時間内ではあるが、風呂リモコン４のスピーカー１７からは、『台所で呼んでいます』という呼出内容を示すメッセージを報知する。
【００３１】
仮に、片方のリモコンの呼出スイッチが押下されてから所定時間内に、もう片方のリモコンの呼出スイッチが押下されると、応答内容を示すメッセージを必ず流すという構成にしたとする。その場合に、風呂リモコン４からの応答を受信してから、所定時間内に再度、台所リモコン３の呼出スイッチ１０ａを押下したときには、風呂リモコン４のスピーカー１７からは、『応答がありました』と報知されることになり、浴室にいるユーザーには、呼び出しをしていないにも関わらず応答内容を示すメッセージが報知されるので、ユーザーはリモコンが故障したのではないかと誤解を与えかねない。
【００３２】
以上のことから、応答内容を示すメッセージに対しては、応答内容を示すメッセージで応答せず、応答内容を示すメッセージが報知されてから、再度、所定時間内に呼出スイッチを押下した場合には、他方のリモコンに対して、常に呼出内容を示すメッセージを報知するようにして、ユーザーに誤解を与えることのないようにしている。
【００３３】
さらに、本実施の形態ではスピーカーからの音声の報知およびＬＥＤの点灯で、ユーザーに対して呼び出し機能が動作していることを報知しているが、呼び出し機能が動作した場合に、図４に示すように表示部５もしくは表示部２１に、例えば『呼び出し中です。』や『応答を待っています』というような呼び出し機能の待機動作を、文字で表示することにより、よりユーザーが認識しやすいリモコンシステムを提供することができる。
【００３４】
また、ＬＥＤの点灯だけに限らず、点滅させることでさらにユーザーに注意を喚起することができる。
【００３５】
このように、上記実施の形態で説明したリモコンシステムは、従来のドアホンのように音声のやり取りをするシステムに比べて、簡単な構成で実現することができるとともに、声を発することができない状況下においても、ボタンを押下するだけで相手に対して呼び出しもしくは応答をすることができるので、万人が常に相手との意思疎通を図ることができる。
【００３６】
さらに、従来のようなマイクとスピーカーを搭載したリモコンシステムでは、ハウリングなどの現象が発生し、取り付け位置によっては、通話できない状態であったが、本発明のリモコンシステムは、設置場所に限定されることなく互いの意思疎通が可能となるため
、使用性の高いリモコンシステムを提供することができる。
【００３７】
特に、浴室のようなプライベート性の高い閉空間において、安心で簡単なリモコンシステムを提供することが可能となる。
【産業上の利用可能性】
【００３８】
以上のように、本発明にかかる給湯装置のリモコンシステムは、万人に対して簡単に遠隔地での意思疎通が可能となるので、従来のインターホンなどの双方向の音声通話よりも、より簡単な構成で使用性の高いリモコンシステムを構築することができる。
【図面の簡単な説明】
【００３９】
【図１】本発明の実施の形態１におけるリモコンシステムの構成図
【図２】同リモコンシステムの状態図
【図３】同リモコンシステムの動作フロー図
【図４】他の実施例におけるリモコンシステムの状態図
【符号の説明】
【００４０】
１  給湯装置
３  第１のリモコン
４  第２のリモコン
１０ａ  第１の呼出スイッチ
１６ａ  第２の呼出スイッチ
【図１】
2009188889.tif 000003
【図２】
2009188889.tif 000004
【図３】
2009188889.tif 000005
【図４】
2009188889.tif 000006